(57)【要約】      （修正有）【課題】携帯端末機器に送信される問診に基づいて判断した症状を携帯端末機器からサーバへ即座に症状を確実に伝える。【解決手段】問診が自動的にサーバから携帯端末機器へ随時送信され、且つ患者が前記問診に基づいて判断した症状を携帯端末機器から前記サーバへ送信する携帯端末機器による問診システムにおいて、前記携帯端末機器には前記サーバからの問診に前記サーバへの返信機能が付設されているとともに、前記問診に各症状の程度に合わせて形成した画像スケールによる段階表示がなされている。【選択図】図４
2013145567.tif 000002
【特許請求の範囲】
【請求項１】
各患者についての薬剤情報が記憶されているサーバと、患者が保有する前記サーバと互いに双方向通信が可能な携帯端末機器とからなり、前記サーバから前記携帯端末機器へ、音声または文字や画像によって通知が自動的に送信されるとともに、患者が前記携帯端末機器から前記サーバへ送信することによって、前記サーバ内で患者毎に管理される薬剤情報または患者情報の少なくとも一方による問診が自動的に前記サーバから前記携帯端末機器へ随時送信され、且つ患者が前記問診に基づいて判断した症状を携帯端末に備えた入力手段により入力して携帯端末機器から前記サーバへ送信する携帯端末機器による問診システムにおいて、前記携帯端末には前記サーバからの問診に前記サーバへの返信機能が付設されているとともに、前記問診に各症状の程度に合わせて形成した画像スケールによる段階表示がなされていることを特徴とする携帯端末機器による問診システム。
【請求項２】
前記画像スケールがフェイススケールであることを特徴とする請求項１記載の携帯端末機器による問診システム。
【請求項３】
前記サーバに、前記携帯端末機器から送信される症状の段階が予め定めた段階を越えている場合にその旨を告げる警報手段が設けられていることを特徴とする請求項１または２記載の携帯端末機器による問診システム。
【請求項４】
前記サーバに、前記警報手段が作動したときに、発信先の携帯端末機器に接続可能な応答手段が具えられていることを特徴とする請求項３記載の携帯端末機器による問診システム。
【請求項５】
前記携帯端末への入力手段がタッチパネルである請求項１，２，３または４記載の携帯端末機器による問診システム。
【発明の詳細な説明】
【技術分野】
【０００１】
本発明は、患者に対して行う携帯端末機器による問診システムである。
【背景技術】
【０００２】
従来、患者は病院や診療所等の医療機関から各種の問診受けることがあり、近頃は携帯端末機器による問診が行われている。
【０００３】
特に、携帯端末機器を用いた問診は、時間や場所を問わず行うことが可能であり、例えば特開２００３−２９６４５４号公報に提示されているような常時服薬管理を行うことができるシステムについても使用されている。この服薬システムは、薬局に設置され各患者についての処方薬剤毎の服用方法、注意事項、副作用、相互作用、各薬剤毎の服用してから薬効（副作用などを含む）が生じるまでの時刻等の薬剤情報が記憶されているサーバと、処方された薬剤を使用する患者が保有する前記サーバと互いに双方向通信が可能な携帯端末機器とからなり、前記薬剤の使用時刻になると、前記サーバから前記携帯端末機器へ、音声または文字や画像によって、前記薬剤の使用を促す通知が自動的に送信されるとともに、患者が前記携帯端末機器から前記サーバへ、薬剤を使用したことを送信することによって、前記サーバ内で患者毎に管理される患者情報による薬効、副作用または相互作用発現に関する問診が前記各薬剤毎の服用してから薬効、副作用などが生じる時刻に自動的に前記サーバから前記携帯端末機器へ随時送信されるというものであり、患者は携帯端末機器を用いてサーバと通信することにより問診を行うものである。
【０００４】
この公報に提示された携帯端末機器による服薬管理システムによれば、薬剤の使用時刻がくると、昼夜を問わず薬局から患者宛に連絡されるので、使用時刻を忘れたり間違えたりすることなく、患者に正しく薬剤を使用させて、確実な治療効果を上げさせることができる。しかも、携帯端末機器を利用することによって、患者は、どこにいてもサーバからの通知を受信することができる。
【０００５】
また、各薬剤の注意事項、服用方法、副作用、相互作用などの重要な薬剤情報を患者に通知をすることにより、注意を促すことができ、特に、これらの重要な情報を通常の薬剤情報と区別して表示または表音することにより確実に患者に認識させることができる。
【０００６】
更に、薬効、副作用などに関する問診が送信されることにより、患者が常に薬効や副作用の徴候に注意を向けるため、適切な薬剤の選択が可能となったり重大な副作用の症状を見逃すことがないなどの利点がある。
【先行技術文献】
【特許文献】
【０００７】
【特許文献１】特開２００３−２９６４５４号公報
【発明の開示】
【発明が解決しようとする課題】
【０００８】
本発明は、前記公報に提示されているような服薬管理システムは勿論のこと、患者が有する携帯端末機器による各種の問診についても利用可能な携帯端末機器による問診システムを提供するものである。
【課題を解決するための手段】
【０００９】
前記課題を解決するためになされた本発明である携帯端末機器による問診システムは、
各患者についての薬剤情報が記憶されているサーバと、患者が保有する前記サーバと互いに双方向通信が可能な携帯端末機器とからなり、前記サーバから前記携帯端末機器へ、音声または文字や画像によって通知が自動的に送信されるとともに、患者が前記携帯端末機器から前記サーバへ送信することによって、前記サーバ内で患者毎に管理される薬剤情報または患者情報の少なくとも一方による問診が自動的に前記サーバから前記携帯端末機器へ随時送信され、且つ患者が前記問診に基づいて判断した症状を携帯端末に備えた入力手段により入力して携帯端末機器から前記サーバへ送信する携帯端末機器による問診システムにおいて、前記携帯端末には前記サーバからの問診に前記サーバへの返信機能が付設されているとともに、前記問診に各症状の程度に合わせて形成した画像スケールによる段階表示がなされていることを特徴とする。
【００１０】
患者が携帯している携帯電話等の携帯端末機器を用いて問診することにより、患者がどこにいても、問診が患者の携帯端末機器へ送信されるようにすれば、患者自身に注意を向けるとともに、患者の携帯端末機器からサーバへ送信された問診による症状が正確に把握できるので患者情報の確認や患者の安全性を図ることができる。
【００１１】
本発明において、副作用などが生じる時刻におけるサーバからの問診に前記サーバへの返信機能が付設されている場合には、患者は問診画面を確認した状態でサーバへ症状を送信することができるのできわめて便利であるとともに確実にサーバへ症状を送信することができる。特に、携帯端末に備えた入力手段がタッチパネルの場合には画像を触ることで入力可能であり、更に容易且つ確実に問診を行うことができる。
【００１２】
更に、本発明において、問診に各症状の程度に合わせて形成した段階表示がなされている場合には、患者は症状を段階別に表示された問診に基づいて容易且つ確実に把握できるので、正確な症状をサーバ（薬局）へ伝えることができ、例えば段階表示としてフェイススケールのように画像スケールにより表示すると更に患者は症状を間違いなく把握することができる。
【００１３】
加えて、前記段階表示が例えばフェイススケールのような画像スケールにより表示される場合には医療知識のない患者であってもきわめて容易且つ正確に症状を把握して問診に対処することができ患者に異常があることを正確に把握するとともに、サーバに、前記警報手段が作動したときに、発信先の携帯端末機器に接続可能な応答手段が具えられている場合には、即座に患者と連絡をとり処置を講じることもできる。
【発明の効果】
【００１４】
本発明によれば、情報が記憶されているサーバから問診が患者の携帯端末機器へ送信されるようにするとともに、患者から、前記問診に基づいて判断した症状を携帯端末機器から前記サーバへ即座に送信することにより症状を確実にサーバ（薬局など）に伝えることにより、迅速な対応をとることができる。
【図面の簡単な説明】
【００１５】
【図１】本発明の実施の形態を示す概略図。
【図２】本発明の実施の形態による携帯端末機器の受信例を示す正面図。
【図３】本発明の実施の形態による携帯端末機器の異なる受信例を示す正面図。
【図４】本発明の実施の形態による携帯端末機器の更に異なる受信例を示す正面図である。
【発明を実施するための最良の形態】
【００１６】
次に本発明の最良の形態について図面を参照して説明する。
【００１７】
図１は本発明を前記公報に提示した服薬管理システムにおいて実施した場合の概要を示し、例えば薬局等に設置されるサーバ２と、個々の患者が保有する携帯電話等の携帯端末機器３とは、インターネットによって双方向に通信が可能とされている。尚、通信網は、インターネットに限らず、例えば携帯電話会社固有の通信網や、既存の電話回線等でも構わない。また、携帯端末機器は携帯電話に限るものでなく、周知のタブレット型の携帯端末機器も含むものである。
【００１８】
サーバ２には、薬剤情報２１および患者情報２２が記憶されている。薬剤情報２１には、薬剤毎に、用法や用量などの服薬用法、注意事項、薬効、副作用、他の薬剤や健康食品を含む食品との相互作用の出現時期や初期症状等が登録され、患者情報２２には、患者毎に、年齢や性別、病歴、薬歴、治療経過、携帯端末機器３の連絡先等が登録されている。
【００１９】
患者は、掛かり付けの薬局に設置されたサーバ２に、自分が保有する携帯電話等の携帯端末機器３の電話番号やメールアドレス、および病歴や薬歴等、自分の患者情報２２を登録する。そして、患者が医療機関を受診し、医師から処方箋が出されると、その薬局へ行って薬剤を受け取る。
【００２０】
そして、薬局において、薬剤師等が、サーバ２に患者名および処方薬剤の名称等を入力すると、制御装置によって、薬剤の用法や用量が算出されるとともに、患者の過去の病歴や薬歴等を参照して、薬剤の安全性がチェックされる。安全が確認されると、患者に薬剤が与えられ、その薬剤の使用期間中、患者が保有する携帯端末機器３に、各種連絡が送信されるようになる。
【００２１】
即ち、薬剤の使用時刻になると、薬局のサーバ２から患者の携帯端末機器３へ、電話回線を通じて音声で、或いは、例えば図２に示すように、電子メール等を通じて、文字および薬剤の写真を示す画像等が表示画面３１に表示されて、使用する薬剤の種類および量が通知される。
【００２２】
そこで、患者が、指示に従って薬剤を使用したことをサーバ２へ送信すると、サーバ２内の患者情報２２に、当該患者の服薬歴が記録される。
【００２３】
加えて、各薬剤の注意事項、服用方法、副作用、相互作用などの薬剤情報の患者への通知を前記通知と一緒に又は別に同様な手段によりサーバ２から通知をする、更に、その際に、例えばこれらの重要な情報を赤色で表示するとともに前記通常の薬剤情報を黒色で表示するなど、通常の薬剤情報と区別して表示または表音することにより患者に注意を促すことができる（図示せず）。
【００２４】
また、薬効、副作用や相互作用が現れる時期は薬剤によっても異なるが、本発明によると、投薬された薬剤の効果や副作用が発現しやすい頃合いを見計らって、サーバ２から患者の携帯端末機器３へ、問診事項が送信される。
【００２５】
図３は、電子メール等を通じて患者の携帯端末機器３の表示画面３１に表示される問診事項の１つの実施の形態を示すものであり、この実施の形態では例えば副作用である痛みをその程度に合わせて例えば１０段階に分けた画像スケールにより表示されている。そのため、患者は問診された副作用などが生じる時刻における自身の症状を前記画像スケールにしたがってきわめて容易に判断し、その結果を前記画面に表示された画像スケールを用いて例えばタッチパネルや入力キーなどを用いて選択し、その結果を双方向通信によりサーバ２へ送信する。
【００２６】
そして、問診結果を送信されたサーバ２では前記携帯端末機器３から送信される副作用
などが生じる時刻における症状の段階を照合手段２３により判断し、予め定めた段階を越えている場合にこれを照合手段により判断し、例えば表示灯や警告音発生などの警報手段２５により知らせ、この知らせを受けた薬局ではサーバ２などの応答手段を用いて再度患者と連絡をとり、例えば薬剤師や医師と患者とが直接会話して問診したり問い合わせに応じたりすることができる。
【００２７】
このようにして、患者が入院している場合と同様に服薬管理を行うことができるので、例えば一人暮らしの高齢者や多忙な日常生活を送っている患者、或いは在宅療養をしている患者等の服薬管理を確実に行うことができる。従って、入院期間の短縮や日帰り手術の普及を図ることも可能となり、特に、本実施の形態では、サーバ２によって自動的に行われることで、例えば深夜に服用しなければならない場合などでも、人手を煩わせることなく通知することができる。
【００２８】
また、図４は、前記問診画面の異なる実施の形態を示すものであり、本実施の形態は、例えば痛みを有する症状に対して例えばモルヒネなどの痛みを和らげる薬効に対する問診画面３１に表示された症状が例えばＷｏｎｇ−Ｂａｋｅｒによるフェイススケールのように患者の痛みの症状（本実施の形態では副作用が痛みの場合を示す）を模した画像スケールを用いて判断できるようになっている。従って、患者は症状を迅速且つ精度良く判断してサーバ２に送信することができるので、患者の状態や薬効などをリアルタイムで確認することができる。
【００２９】
尚、前記図３および図４に示した実施の形態は、一例であって、患者が症状を確認するのに適した画像スケールであればよい。また、本実施の形態では、副作用などの症状として痛みが生じる場合や痛み止め効果を有する薬効についての場合などを示したが、これに限らず例えば吐き気、発疹など予め患者の個人情報や服用する薬剤に応じて予め適用が考慮される症状（複数も可）の画像スケールにより問診することができる。
【００３０】
また、本実施の形態は、特に、処方された薬剤を服用する際、更には服用した後の携帯端末機器による問診についての服薬管理システムとして実施した場合を示したが、本発明は、携帯端末機器における問診においてサーバから患者に送信される問診として画像スケールを用いたことを特徴とするものであり、例えば、医療機関で患者に対して行われる一般的な問診についても適用できるものである。
【符号の説明】
【００３１】
２  サーバ、３  携帯端末機器、２１  薬剤情報、２２  患者情報、２３  照合手段、３１  表示画面、２５  警報手段
【図２】
2013145567.tif 000003
【図３】
2013145567.tif 000004
【図４】
2013145567.tif 000005
【図１】
2013145567.tif 000006